(57)【要約】【課題】ＬＥＤ等の光源が、導光板の光が出射される面の裏面側に配置されている場合であっても、導光板の出射面から出射される光の輝度を均一にすること。【解決手段】  実施形態に係る面状照明装置は、第１の面と、前記第１の面と反対側の第２の面とを有する導光板と、前記第２の面側に配置され、前記第２の面に入射される光を発する光源と、を備え、前記第１の面には、前記第２の面に向かうにつれて開口領域が徐々に小さくなる凹状の反射面が形成され、前記第２の面には、前記第２の面から入射されて前記反射面により反射された光を、前記第１の面に向けて反射する第１の光学部材、及び、前記反射面と対向し、前記光源から入射された光を平行光にして前記平行光の進行方向を前記反射面へと変更する第２の光学部材が形成される。【選択図】図２
2018055847.tif 000002
【特許請求の範囲】
【請求項１】
第１の面と、前記第１の面と反対側の第２の面とを有する導光板と、
前記第２の面側に配置され、前記第２の面に入射される光を発する光源と、
を備え、
前記第１の面には、前記第２の面に向かうにつれて開口領域が徐々に小さくなる凹状の反射面が形成され、前記第２の面には、前記第２の面から入射されて前記反射面により反射された光を、前記第１の面に向けて反射する第１の光学部材、及び、前記反射面と対向し、前記光源から入射された光を平行光にして前記平行光の進行方向を前記反射面へと変更する第２の光学部材が形成される、面状照明装置。
【請求項２】
前記反射面の前記第２の面側に、前記第１の面から前記第２の面に向かう方向に凹んでいる凹レンズが配置される、請求項１に記載の面状照明装置。
【請求項３】
前記導光板は、領域毎に前記反射面が形成される前記第１の面と、前記領域毎に前記第１の光学部材及び前記第２の光学部材が形成される前記第２の面とを有し、
前記領域の端における前記第１の面と前記第２の面との間における厚さは、前記領域の端以外の厚さよりも薄い、請求項１又は２に記載の面状照明装置。
【請求項４】
前記領域は、前記第２の面に形成された溝により規定され、
前記溝は、シボが形成される、
請求項３に記載の面状照明装置。
【請求項５】
前記領域毎に、前記導光板の前記第１の面と前記第１の光学部材との距離が、前記反射面と対向する前記第２の面における位置から前記領域の端に向かうにつれて徐々に短くなる、請求項３又は４に記載の面状照明装置。
【発明の詳細な説明】
【技術分野】
【０００１】
本発明は、面状照明装置に関する。
【背景技術】
【０００２】
従来、ＬＥＤ（Light  Emitting  Diode）が導光板の中央下部に配置され、セグメント点灯が可能な面状照明装置がある。例えば、導光板の出射面の裏面（光が出射される面とは反対側の面）側にＬＥＤが配置される面状照明装置がある（例えば、特許文献１参照）。
【先行技術文献】
【特許文献】
【０００３】
【特許文献１】特開２０１６−４５９９２号公報
【発明の概要】
【発明が解決しようとする課題】
【０００４】
ここで、導光板の裏面側にＬＥＤが配置される場合には、面状照明装置全体の厚さを薄くするために、導光板とＬＥＤとの距離が比較的短くなる。このため、ＬＥＤが発した光は、導光板の局所的な部分に入射される。したがって、導光板の出射面において、出射面から出射される光の輝度を出射面の全域（全領域）において均一にさせることは困難である。
【０００５】
本発明は、上記に鑑みてなされたものであって、ＬＥＤ等の光源が、導光板の出射面の裏面側に配置されている場合であっても、導光板の出射面から出射される光の輝度を出射面の全域において均一にすることができる面状照明装置を提供することを目的とする。
【課題を解決するための手段】
【０００６】
上述した課題を解決し、目的を達成するために、本発明の一態様に係る面状照明装置は、第１の面と、前記第１の面と反対側の第２の面とを有する導光板と、前記第２の面側に配置され、前記第２の面に入射される光を発する光源と、を備え、前記第１の面には、前記第２の面に向かうにつれて開口領域が徐々に小さくなる凹状の反射面が形成され、前記第２の面には、前記第２の面から入射されて前記反射面により反射された光を、前記第１の面に向けて反射する第１の光学部材、及び、前記反射面と対向し、前記光源から入射された光を平行光にして前記平行光の進行方向を前記反射面へと変更する第２の光学部材が形成される。
【発明の効果】
【０００７】
本発明の一態様によれば、ＬＥＤ等の光源が、導光板の光が出射される面の裏面側に配置されている場合であっても、導光板の出射面から出射される光の輝度を出射面の全域において均一にすることができる。
【図面の簡単な説明】
【０００８】
【図１】図１は、実施形態に係る面状照明装置の構成例を示す斜視図である。
【図２】図２は、図１のＡ−Ａ線における断面の一部を示す図である。
【図３】図３は、第１の実施形態において、導光板の１つの領域から出射される光の輝度の状態の一例を模式的に示す図である。
【図４】図４は、第１の実施形態の変形例を説明するための図である。
【図５】図５は、変形例において、導光板の１つの領域から出射される光の輝度の状態の一例を模式的に示す図である。
【図６】図６は、第２の実施形態に係る面状照明装置について説明するための斜視図である。
【図７】図７は、図６のＢ−Ｂ線における断面の一部を示す図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
（実施形態）
図１は、実施形態に係る面状照明装置の構成例を示す斜視図である。図１に示すように、実施形態に係る面状照明装置１０は、１つの導光板１１と、複数のＬＥＤ１２ａ〜１２ｉと、反射シート１３と、拡散シート１４とを備える。面状照明装置１０は、例えば、液晶表示装置のバックライトとして用いられる。
【００１１】
導光板１１は、透明材料（例えば、ポリカーボネート樹脂又はアクリル樹脂）を用いて上面視で矩形状に形成されている。導光板１１は、主面１１ａ及び主面１１ｂを有する。主面１１ａは、入射された光を出射する出射面である。そのため、以下の説明では、「主面１１ａ」を「出射面１１ａ」と表記する場合がある。主面１１ｂは、主面１１ａと反対側の面（主面１１ａの裏面）である。なお、主面１１ａは、第１の面の一例であり、主面１１ｂは、第２の面の一例である。
【００１２】
ここで、出射面１１ａ及び主面１１ｂには、複数の領域（エリア）２１ａ〜２１ｉが共通して規定されている。第１の実施形態では、９つの領域２１ａ〜２１ｉが規定されている場合について説明するが、領域の数は９つ未満であってもよいし、９つより多くてもよい。
【００１３】
出射面１１ａの全領域のうち、領域２１ａには、窪んだ略円錐状の反射面１５ａが形成されている。この反射面１５ａは、主面１１ｂに向かうにつれて開口領域が徐々に小さくなる凹状の面である。すなわち、出射面１１ａには、主面１１ｂに向かうにつれて開口領域が徐々に小さくなる凹状の反射面１５ａが形成されている。
【００１４】
他の領域２１ｂ〜２１ｉのそれぞれについても、同様の反射面１５ｂ〜１５ｉのそれぞれが形成されている。
【００１５】
主面１１ｂにおける複数の領域２１ａ〜２１ｉのそれぞれには、複数の第１の光学部材２２（図２参照）及び第２の光学部材２３（図２参照）が形成されている。第１の光学部材２２及び第２の光学部材２３については、後述する。また、以下の説明では、領域２１ａ〜２１ｉを区別して説明しない場合には、単に、「領域２１」と表記する。
【００１６】
複数のＬＥＤ１２ａ〜１２ｉは、点状の光源（点状光源）である。ＬＥＤ１２ａ〜１２ｉは、例えば、青色ＬＥＤと黄色蛍光体とからなる疑似白色ＬＥＤであり、全体として略直方体状に形成され、一側面に発光面を有するいわゆるトップビュー型のＬＥＤである。複数のＬＥＤ１２ａ〜１２ｉの発光面のそれぞれは、導光板１１の主面１１ｂの領域２１ａ〜２１ｉのそれぞれに対向する。より具体的には、ＬＥＤ１２ａ〜１２ｉの発光面のそれぞれは、反射面１５ａ〜１５ｉのそれぞれに対向するとともに、領域２１ａ〜２１ｉのそれぞれの後述する第２の光学部材２３に対向する。例えば、ＬＥＤ１２ａ〜１２ｉのそれぞれの光軸２３ａ（図２参照）は、領域２１ａ〜２１ｉのそれぞれの後述する第２の光学部材２３の光軸と一致した状態で、ＬＥＤ１２ａ〜１２ｉのそれぞれが配置される。よって、ＬＥＤ１２ａ〜１２ｉは、反射面１５ａ〜１５ｉのそれぞれに入射される光を発する。以下の説明では、ＬＥＤ１２ａ〜１２ｉを区別して説明しない場合には、単に、「ＬＥＤ１２」と表記する。このように、ＬＥＤ１２は、領域２１ごとに１つ配置されており、複数のＬＥＤ１２のうち、いずれかのＬＥＤ１２が発光して、複数の領域２１のうち発光したＬＥＤ１２が配置された領域２１のみから光が出射されることにより、部分発光が実現される。なお、ＬＥＤ１２は、トップビュー型のＬＥＤに限られない。例えば、ＬＥＤ１２は、サイドビュー型のＬＥＤであってもよい。
【００１７】
反射シート１３は、導光板１１の主面１１ｂ側に配置される。反射シート１３は、主面１１ｂから漏れた光を反射して、再度導光板１１に戻す。
【００１８】
拡散シート１４は、導光板１１の出射面１１ａ側に配置される。拡散シート１４は、出射面１１ａから出射される光を拡散する。拡散シート１４により拡散された光が、上述した液晶表示装置に入射される。
【００１９】
次に、図２を参照して、実施形態に係る面状照明装置１０の導光板１１について説明する。図２は、図１のＡ−Ａ線における断面の一部を示す図である。なお、図２では、図１のＡ−Ａ線における領域２１ｂ、２１ｅ、２１ｈの断面のうち、領域２１ｅの断面が示されており、領域２１ｂ及び領域２１ｈの断面については図示が省略されている。図２を参照して、領域２１ｅの構成について説明するが、他の領域２１ａ〜２１ｄ、２１ｆ〜２１ｈについても同様の構成である。
【００２０】
図２に示すように、導光板１１の出射面１１ａの領域２１ｅには、上述した反射面１５ｅが形成され、凹レンズ８０が配置されている。
【００２１】
反射面１５ｅは、反射面１５ｅが形成されるとともに凹レンズ８０が配置された領域であって出射面１１ａの領域である領域６７以外の出射面１１ａの領域６８との成す角の角度（傾斜角度）が、例えば、１３５度となるように形成されている。例えば、反射面１５ｅには、光を全反射する加工が施されている。反射面１５ｅは、全領域において、傾斜角度が略一定の全反射面である。したがって、反射面１５ｅは、後述する第２の光学部材２３からの平行光（略平行）の平行状態を維持したまま、かかる平行光を反射することができる。すなわち、反射面１５ｅにより反射される平行光は、平衡状態が維持されて、導光板１１内を進行する。なお、反射面１５ｅは、入射された平行光の平衡状態を維持したまま平行光を反射させなくてもよく、最終的に導光板１１の出射面１１ａから出射される光の輝度が出射面１１ａの全域において均一になるように、適宜、傾斜角度が部分的に調整されてもよい。
【００２２】
凹レンズ８０は、出射面１１ａから主面１１ｂに向かう方向（Ｚ軸のマイナス方向）に凹んでいるレンズである。凹レンズ８０は、凹レンズ８０の光軸とＬＥＤ１２の光軸２３ａとが一致する状態で配置される。このため、図２において、凹レンズ８０の光軸とＬＥＤ１２の光軸２３ａとを同一に扱うことができる。凹レンズ８０は、平行光８１、８２の進行方向を凹レンズの光軸から離れる方向に変更する。ここで、仮に凹レンズ８０が配置されていない場合には、領域６７から光が出射されなくなり、領域６７から出射される光の輝度が低下する。しかしながら、本実施形態では、凹レンズ８０が設けられているため、凹レンズ８０により、領域６７からも光が出射される。このため、本実施形態では、領域６７から出射される光の輝度が低下することを抑制することができる。
【００２３】
なお、凹レンズ８０を設けずに、凹レンズ８０が設けられた位置に反射面１５ｅの一部として出射面１１ａの領域６８に平行な面（水平面）や曲面が形成されてもよい。これにより、かかる水平面や曲面は、第２の光学部材２３からの平行光を出射する。よって、この場合においても、領域６７から光が出射される。このため、領域６７から出射される光の輝度が低下することを抑制することができる。
【００２４】
図２に示すように、導光板１１の主面１１ｂの領域２１ｅには、複数の第１の光学部材２２及び第２の光学部材２３が形成されている。
【００２５】
第２の光学部材２３は、第２の光学部材２３の光軸を含む領域である中心部に屈折作用を有する屈折プリズム（フレネルレンズ）２３ｂと、中心部の外周側の領域である外周部に反射作用を有する反射プリズム（ＴＩＲ（Total  Internal  Reflection）レンズ）２３ｃとを有する。図２に示すように、フレネルレンズ２３ｂ及びＴＩＲレンズ２３ｃは、ＬＥＤ１２から放射状に出射された光６１〜６６を平行光（略平行光）にし、平行光の進行方向を反射面１５ｅ及び凹レンズ８０へと変更する。すなわち、平行光が第２の光学部材２３から反射面１５ｅ及び凹レンズ８０に向かって導光板１１内を進行する。第２の光学部材２３は、反射面１５ｅに対向する。第２の光学部材２３は、公知の技術である。例えば、第２の光学部材２３と同様の光学部材について、特開２００７−２６６２４２号公報に記載されている。
【００２６】
なお、フレネルレンズ２３ｂ及びＴＩＲレンズ２３ｃは、ＬＥＤ１２から放射状に出射された光を完全な平行光にしなくてもよく、最終的に導光板１１の出射面１１ａから出射される光の輝度が出射面１１ａの全域において均一となるように、適宜、フレネルレンズ２３ｂ及びＴＩＲレンズ２３ｃの形状を部分的に調整してもよい。
【００２７】
複数の第１の光学部材２２は、第２の光学部材２３を取り囲むように形成されている。第１の光学部材２２は、上面（ＸＹ平面）視で、第２の光学部材２３の光軸（ＬＥＤ１２ｅの光軸２３ａ）を中心とする円形状である。
【００２８】
第１の光学部材２２は、第２の光学部材２３から領域２１ｅのＹ軸方向の端６９に向かうにつれて、出射面１１ａに対して出射面１１ａから離れる方向に傾斜する第１領域２２ａに、出射面１１ａに対して出射面１１ａに近づく方向に傾斜する第２領域２２ｂが連続するプリズムである。
【００２９】
また、本実施形態では、図２に示すように、面７７と第２領域２２ｂとの成す角の角度θ１は、第２の光学部材２３から領域２１ｅのＹ軸方向の端６９に向かうにつれて、小さくなる。なお、面７７は、第２領域２２ｂの出射面１１ａ側の端を通り、かつ、出射面１１ａの領域６８と平行な面である。
【００３０】
また、本実施形態では、第１領域２２ａと第２領域２２ｂとの成す角の角度θ２は、複数の第１の光学部材２２において一定である。
【００３１】
図２に示すように、第１の光学部材２２の第２領域２２ｂは、反射面１５ｅにより反射された光７１〜７４を、出射面１１ａの領域２１ｅの全領域のうち、領域６８に向けて反射する。また、第１の光学部材２２は、反射面１５ｅにより反射され続いて出射面１１ａにより反射された光７５、７６も、出射面１１ａの領域２１ｅの全領域のうち、領域６８に向けて反射する。すなわち、第１の光学部材２２は、導光板１１内を進行する光を出射面１１ａに向けて反射する。このように、第１の実施形態では、反射面１５ｅにより反射された光が、導光板１１のＹ軸方向の端６９側にまで導光板１１内を進行し、第１の光学部材２２により反射されて出射面１１ａから出射される。よって、導光板１１の出射面１１ａにおける領域２１ｅからは、光が均一に出射される。図３は、第１の実施形態において、導光板の１つの領域から出射される光の輝度の状態の一例を模式的に示す図である。したがって、導光板１１の出射面１１ａにおける領域２１ｅから出射される光の輝度は、図３に示すように、領域２１ｅの全域（全領域）において均一となる。他の領域２１ａ〜２１ｄ、２１ｆ〜２１ｈについても同様である。
【００３２】
以上のことから、第１の実施形態に係る面状照明装置１０によれば、ＬＥＤ１２が、導光板１１の出射面１１ａの裏面（主面１１ｂ）側に配置されている場合であっても、ＬＥＤ１２が発光する領域２１から出射される光の輝度を領域２１の全域において均一にすることができる。
【００３３】
そして、導光板１１から出射される光７１〜７６、８１、８２は、拡散シート１４により拡散される。ここで、図２において、符号８１〜８６が示す楕円は、拡散シート１４により光が拡散される様子を模式的に示すものである。
【００３４】
なお、第１の光学部材２２が、プリズムである場合について説明したが、かかるプリズムに代えて、かかるプリズムと同様の機能を有するドットが主面１１ｂに形成されてもよい。
【００３５】
また、図２に示すように、導光板１１の主面１１ｂのＹ軸方向の端６９側には、黒く塗られた溝８７が形成されている。かかる溝８７は、領域２１ｅを規定する。例えば、溝８７は、上面視で矩形状であり、矩形状の溝８７に囲まれた領域が、上面視で矩形状の領域２１ｅとなる。本実施形態の溝８７は、第１の光学部材２２から端６９に向かうにつれて、出射面１１ａに対して近づく方向に傾斜する傾斜面（周壁）を有する。領域２１ｅのかかる傾斜面の端６９側の位置と出射面１１ａとの間における厚さＬ１は、領域２１ｅにおける端６９以外の導光板１１の厚さよりも薄い。このため、導光板１１の領域２１ｅから、領域２１ｅと隣接する領域２１ｂ、２１ｈ等に光が漏れることを抑制することができる。したがって、発光対象の領域２１のみを精度良く発光させることができる。
【００３６】
以上、第１の実施形態に係る面状照明装置１０について説明した。上述したように、第１の実施形態に係る面状照明装置１０によれば、ＬＥＤ１２が、導光板１１の出射面１１ａの裏面（主面１１ｂ）側に配置されている場合であっても、発光対象の領域２１から出射される光の輝度を発光対象の領域２１の全域において均一にすることができる。
【００３７】
また、第１の実施形態に係る面状照明装置１０によれば、導光板１１内を進行する光が平行光の状態又は平行光に近い状態であることから、導光板１１の出射面１１ａとは反対側の主面１１ｂに形成された第１の光学部材２２による光の制御（出射面１１ａから出射する光の配光制御）を容易に行うことが期待できる。
【００３８】
また、第１の実施形態に係る面状照明装置１０によれば、１枚の導光板１１を用いて、部分発光が可能であるため、複数枚の導光板を接合して部分発光を可能にした場合と比較して、導光板の接合部分の継ぎ目がないため、シームレスな部分発光を行うことができる。
【００３９】
（第１の実施形態の変形例）
なお、領域２１を規定する溝８７は、シボ処理が施されてシボ（皺）が形成された溝であってもよい。そこで、このような変形例を第１の実施形態の変形例として説明する。なお、第１の実施形態と同様の構成については同一の符号を付して説明を省略する。
【００４０】
図４は、第１の実施形態の変形例を説明するための図である。図４の例に示すように、導光板１１の主面１１ｂに、溝８８が形成される。溝８８は、シボ処理が施されてシボが形成されている。そのため、溝８８の傾斜面（周壁）により出射面１１ａに向けて反射された光の輝度が高くなる。
【００４１】
図５は、変形例において、導光板の１つの領域から出射される光の輝度の状態の一例を模式的に示す図である。図５に示すように、領域２１ｅのうち、シボが形成された溝８８により反射された光が出射される領域２１ｅ−１は、他の領域よりも輝度が高い。これにより、領域２１ｅの周辺部が縁取られ、発光している領域２１ｅを強調させることができる。
【００４２】
（第２の実施形態）
次に、第２の実施形態に係る面状照明装置２０について説明する。図６は、第２の実施形態に係る面状照明装置について説明するための斜視図である。なお、第１の実施形態と同様の構成については、同一の符号を付して説明を省略する。
【００４３】
図６に示すように、第２の実施形態に係る面状照明装置２０は、第１の実施形態に係る導光板１１に代えて、導光板３１を備える点が、第１の実施形態に係る面状照明装置１０と異なる。
【００４４】
図６に示すように、導光板３１は、主面３１ａと主面３１ｂとを有する。導光板３１の主面３１ａは、光が出射される出射面であり、第１の実施形態に係る導光板１１と同様に、領域２１毎に、反射面１５が形成される。
【００４５】
図７は、図６のＢ−Ｂ線における断面の一部を示す図である。なお、図７では、図６のＢ−Ｂ線における領域２１ｂ、２１ｅ、２１ｈの断面のうち、領域２１ｅの断面が示されており、領域２１ｂ及び領域２１ｈの断面については図示が省略されている。図７を参照して、第２の実施形態に係る領域２１ｅの構成について説明するが、他の領域２１ａ〜２１ｄ、２１ｆ〜２１ｈについても同様の構成である。
【００４６】
図７に示すように、第２の実施形態に係る導光板３１の領域２１ｅは、主面（出射面）３１ａ、及び、出射面３１ａとは反対側の主面３１ｂを有する。出射面３１ａには、反射面１５ｅが形成される。主面３１ｂには、複数の第１の光学部材２２及び第２の光学部材２３が形成される。出射面３１ａは、第１の面の一例であり、主面３１ｂは、第２の面の一例である。
【００４７】
例えば、図７に示すように、領域２１ｅは、基部３１ｄと複数の第１の光学部材２２と第２の光学部材２３とを有する。基部３１ｄは、出射面３１ａを有する。複数の第１の光学部材２２及び第２の光学部材２３は、基部３１ｄの厚み方向（Ｚ軸方向）の出射面３１ａとは反対側に設けられる。例えば、基部３１ｄの出射面３１ａとは反対側の仮想的な面３１ｃに、複数の第１の光学部材２２及び第２の光学部材２３が設けられる。
【００４８】
第２の実施形態に係る導光板３１は、ＹＺ平面の断面視において、楔形状となっている。より具体的には、図７に示すように、上述した面３１ｃが、第２の光学部材２３の位置（反射面１５ｅと対向する主面３１ｂにおける位置（反射面１５ｅと対向する基部３１ｄの位置））から領域２１ｅのＹ軸方向の端に向かうにつれて、出射面３１ａに対して出射面３１ａに近づく方向に傾斜する。他の領域２１ａ〜２１ｄ、２１ｆ〜２１ｈについても同様である。
【００４９】
すなわち、領域２１毎に、導光板３１の出射面３１ａと第１の光学部材２２との距離が、第２の光学部材２３の位置（反射面１５ｅと対向する主面３１ｂにおける位置）から領域２１の端に向かうにつれて徐々に短くなる。
【００５０】
導光板３１が上述したような楔形状となっているため、領域２１ｅのＹ軸方向の端における導光板１１の出射面１１ａと主面１１ｂとの間における厚さＬ２は、領域２１ｅにおける端以外の導光板１１の厚さよりも薄い。このため、第２の実施形態に係る面状照明装置２０によれば、隣接する領域（例えば、領域２１ｂ、２１ｈ等）への光が漏れることを抑制することができる。また、隣接する領域との境界に、傾斜角度の大きい（頂角（又は谷角）が狭い）周壁を設けた場合と比較して、接合部分の接合面積が大きくなり機械的強度が向上する。これにより、周壁の頂部（谷部）において導光板３１が折れる可能性を低減することができる。
【００５１】
第２の実施形態に係る第２の光学部材２３は、ＬＥＤ１２から放射状に出射された光３２〜３９を平行光（略平行光）にし、平行光の進行方向を反射面１５ｅ及び凹レンズ８０へと変更する。すなわち、平行光が第２の光学部材２３から反射面１５ｅ及び凹レンズ８０に向かって導光板１１内を進行する。
【００５２】
第２の実施形態に係る第１の光学部材２２は、反射面１５ｅにより反射された光４０〜４５を、出射面１１ａ（より具体的には、先の図４に示す出射面１１ａの領域２１ｅの全領域のうち、領域６８）に向けて反射する。すなわち、第２の実施形態に係る第１の光学部材２２は、導光板１１内を進行する光を出射面１１ａに向けて反射する。このように、第２の実施形態では、第１の実施形態と同様に、反射面１５ｅにより反射された光が、導光板１１のＹ軸方向の端側にまで導光板１１内を進行し、第１の光学部材２２により反射されて出射面１１ａから出射される。よって、導光板１１の出射面１１ａにおける領域２１ｅからは、光が均一に出射される。したがって、導光板１１の出射面１１ａにおける領域２１ｅから出射される光の輝度は、領域２１ｅの全域において均一となる。他の領域２１ａ〜２１ｄ、２１ｆ〜２１ｈについても同様である。
【００５３】
以上のことから、第２の実施形態に係る面状照明装置２０によれば、ＬＥＤ１２が、導光板１１の出射面１１ａの裏面（主面１１ｂ）側に配置されている場合であっても、ＬＥＤ１２が発光する領域２１から出射される光の輝度を領域２１の全域において均一にすることができる。
【００５４】
そして、導光板１１から出射される光４０〜４５は、拡散シート１４により拡散される。
【００５５】
以上、第２の実施形態に係る面状照明装置２０について説明した。上述したように、第１の実施形態に係る面状照明装置２０によれば、ＬＥＤ１２が、導光板１１の出射面１１ａの裏面（主面１１ｂ）側に配置されている場合であっても、発光対象の領域２１から出射される光の輝度を発光対象の領域２１の全域において均一にすることができる。
【００５６】
また、第２の実施形態に係る面状照明装置２０によれば、第１の実施形態と同様に、導光板１１内を進行する光が平行光の状態又は平行光に近い状態であることから、導光板１１の出射面１１ａとは反対側の主面１１ｂに形成された第１の光学部材２２による光の制御（出射面１１ａから出射する光の配光制御）を容易に行うことが期待できる。
【００５７】
また、第２の実施形態に係る面状照明装置２０によれば、第１の実施形態と同様に、１枚の導光板１１を用いて、部分発光が可能であるため、複数枚の導光板を接合して部分発光を可能にした場合と比較して、導光板の接合部分の継ぎ目がないため、シームレスな部分発光を行うことができる。
【００５８】
また、第２の実施形態に係る面状照明装置２０によれば、上述したように、導光板３１が折れる可能性を低減することができる。
【００５９】
また、第１の実施形態、第１の実施形態の変形例及び第２の実施形態では、領域２１が複数である場合について例示したが、領域２１は１つであってもよい。この場合には、領域２１が導光板１１の出射面１１ａの全域となる。このため、領域２１が１つである場合には、ＬＥＤ１２が、導光板１１の出射面１１ａの裏面（主面１１ｂ）側に配置されている場合であっても、出射面１１ａの全域から出射される光の輝度を出射面１１ａの全域において均一にすることができる。
【００６０】
以上、実施形態及び実施形態の変形例について説明したが、上記実施の形態及び上記変形例により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６１】
１０  面状照明装置
１１、３１  導光板
１１ａ、３１ａ  出射面（第１の面）
１１ｂ、３１ｂ  主面（第２の面）
１２ａ〜１２ｉ  ＬＥＤ（光源）
１３  反射シート
１４  拡散シート
１５ａ〜１５ｉ  反射面
２１ａ〜２１ｈ  領域
２２  第１の光学部材
２２ａ  第１領域
２２ｂ  第２領域
２３  第２の光学部材
２３ａ  光軸
【図１】
2018055847.tif 000003
【図２】
2018055847.tif 000004
【図３】
2018055847.tif 000005
【図４】
2018055847.tif 000006
【図５】
2018055847.tif 000007
【図６】
2018055847.tif 000008
【図７】
2018055847.tif 000009